(57)【要約】【課題】被検者の周期的な動作を撮影して得られる複数の動画におけるそれぞれの変化の周期を、従来よりも簡素な構成で調整できるようにする。【解決手段】第一動画を取得する第一動画取得手段と、第一動画の撮影とは別に撮影して得られた第二動画を取得する第二画像取得手段と、取得した第一動画における周期的な変化の特徴である第一特徴を抽出する第一特徴抽出手段と、取得した第二動画における周期的な変化の特徴である第二特徴を抽出する第二特徴抽出手段と、抽出した第一特徴及び第二特徴に基づいて、第一動画と第二動画のうちの少なくとも一方の動画を、その変化の周期が他方の動画における変化の周期に近づくように調整する画像調整手段と、取得した第一動画又は調整した第一動画と、取得した第二動画又は調整した第二動画と、を出力する出力手段と、を備える。【選択図】図３
2020096703.tif 000002
【特許請求の範囲】
【請求項１】
被検者の周期的な動作を撮影して得られた第一動画を取得する第一動画取得手段と、
被検者の周期的な動作を、前記第一動画の撮影とは別に撮影して得られた第二動画を取得する第二画像取得手段と、
前記第一取得手段が取得した前記第一動画における周期的な変化の特徴である第一特徴を抽出する第一特徴抽出手段と、
前記第二取得手段が取得した前記第二動画における周期的な変化の特徴である第二特徴を抽出する第二特徴抽出手段と、
第一特徴抽出手段が抽出した前記第一特徴及び前記第二特徴抽出手段が抽出した前記第二特徴に基づいて、前記第一動画と前記第二動画のうちの少なくとも一方の動画を、その変化の周期が他方の動画における変化の周期に近づくように調整する画像調整手段と、
前記第一動画取得手段が取得した第一動画又は前記画像調整手段が調整した前記第一動画と、前記第二動画取得手段が取得した第二動画又は前記画像調整手段が調整した前記第二動画と、を出力する出力手段と、を備えることを特徴とする医用画像管理装置。
【請求項２】
前記第一動画は、診断に用いる主動画であり、
前記第二動画は、前記第一動画と比較するための比較動画であり、
前記画像調整手段は、前記第二動画の周期を前記第一動画の周期に近づけることを特徴とする請求項１に記載の医用画像管理装置。
【請求項３】
前記第二動画は、前記第一動画の被検者と同一の被検者を過去に撮影して得られたもの、又は前記第一動画の被検者と異なりかつ当該被検者と同様の体格、同様の年代又は同一の性別の被検者を撮影して得られたものであることを特徴とする請求項１又は請求項２に記載の医用画像管理装置。
【請求項４】
前記画像調整手段は、前記第一動画と前記第二動画のうちの少なくとも一方の動画における二周目以降の周期の変化が写った部分を調整することを特徴とする請求項１に記載の医用画像管理装置。
【請求項５】
請求項１から請求項４のいずれか一項に記載の医用画像管理装置と、
表示部を備える表示装置と、
前記医用画像管理装置の第一動画取得手段が取得した第一動画又は画像調整手段が調整した前記第一動画と、第二動画取得手段が取得した第二動画又は画像調整手段が調整した前記第二動画と、を前記表示部に表示させる画像表示制御手段と、を備えることを特徴とする医用画像管理システム。
【請求項６】
前記第一動画における時間と信号値の関係を表す第一グラフを前記表示部に表示させるとともに、前記第二動画に基づく時間と信号値の関係を表す第二グラフを前記表示部に表示させるグラフ表示制御手段を備えることを特徴とする請求項５に記載の医用画像管理システム。
【請求項７】
前記表示装置は、操作者が操作可能な操作部を備えており、
前記操作部になされた操作に応じて、前記第一グラフＧ１と前記第二グラフのうちの少なくとも一方のグラフの波形を変形させるグラフ変形手段を備え、
前記画像調整手段は、前記グラフ変形手段による前記第一グラフＧ１と前記第二グラフのうちの少なくとも一方のグラフの変形に応じて、前記第一動画と前記第二動画のうち変形したグラフに対応する動画における変化の周期を再調整することを特徴とする請求項６に記載の医用画像管理システム。
【請求項８】
前記第二動画を蓄積するデータベースを備え、
前記第二特徴抽出手段は、前記データベースに蓄積された複数の前記第二動画に基づく統計値を生成する統計手段を備え、
前記グラフ表示制御手段は、前記統計手段が生成した統計値に基づくグラフを、前記第二グラフとして前記表示部に表示させることを特徴とする請求項６又は請求項７に記載の医用画像管理システム。
【請求項９】
前記統計手段は、複数の前記第二動画からそれぞれ抽出した第二特徴に基づいて、複数の前記第二動画の各周期の平均値を算出するようになっており、
前記グラフ表示制御手段は、前記統計手段が算出した平均値を周期とする第二グラフを前記表示部に表示させることを特徴とする請求項８に記載の医用画像管理システム。
【請求項１０】
前記統計手段は、複数の前記第二動画からそれぞれ抽出される所定の信号値の分布において、所定の上限基準に対応する上限信号値と、所定の下限基準に対応する下限信号値と、をそれぞれ抽出するようになっており、
前記グラフ表示制御手段は、前記統計手段が抽出した前記上限信号値を有する第二動画に対応する前記第二グラフを前記表示部に表示させるとともに、前記下限信号値を有する第二動画に対応する第三グラフを前記表示部に表示させることを特徴とする請求項８に記載の医用画像管理システム。
【請求項１１】
前記画像表示制御手段は、前記第一動画の各フレームにおける一部領域を第一領域としてそれぞれ抜き出し、部分第一動画として前記表示部に表示させるとともに、前記第二動画の各フレームにおける前記第一領域に対応する一部領域を第二領域としてそれぞれ抜き出し、部分第二動画として前記表示部に表示させることを特徴とする請求項５から請求項１０のいずれか一項に記載の医用画像管理システム。
【請求項１２】
前記第一動画及び前記第二動画は、胸部を撮影した放射線動画であり、
前記第一領域は、左右一対の肺のいずれか一方であり、
前記第二領域は、前記第一領域と同じ側の肺であることを特徴とする請求項１１に記載の医用画像管理システム。
【請求項１３】
前記第一動画及び前記第二動画は、胸部を撮影した放射線動画であり、
前記第一領域は、左右一対の肺のいずれか一方であり、
前記第二領域は、前記第一領域と異なる側の肺であることを特徴とする請求項１１に記載の医用画像管理システム。
【発明の詳細な説明】
【技術分野】
【０００１】
本発明は、医用画像管理装置及び医用画像管理システムに関する。
【背景技術】
【０００２】
被検者の周期的な動作（例えば呼吸等）を撮影して得られた動画を、画像保存通信システム（Picture Archiving and Communication System：以下、ＰＡＣＳ）に蓄積し、後日、蓄積された動画を用いて当該被検者を診断することが従来行われている。その際、被検者の動画を単独で見ながら診断する場合の他に、当該被検者の過去の動画や当該被検者とは別の被検者の動画と見比べながら診断する場合がある。
しかし、診断を受ける被検者と当該被検者とは別の被検者、あるいは診断を受ける現在被検者と過去の被検者とでは、呼吸の周期が異なることが多いため、複数の動画を並べて再生したときに、各動画における動作の周期の差によって、同時刻における動画に写った被検者の状態にズレが発生し、比較しながら診断を行うことは困難となる場合があった。
【０００３】
そこで、特許文献１に記載されたような、基準動画像における動作の周期と参照動画像における動作の周期とが異なる場合に、基準動画像又は参照動画像のうち少なくとも一方を構成するフレーム画像毎の表示時間を変更することにより、第一周期的変化と第二周期的変化の変化速度を一致させる技術が提案されている。
【先行技術文献】
【特許文献】
【０００４】
【特許文献１】特開２０１８‐１３８１９３号公報
【発明の概要】
【発明が解決しようとする課題】
【０００５】
しかしながら、上述したような複数の動画の動作の周期を一致させる機能を利用するためには、医用画像を管理するシステム（特許文献１においては放射線動態画像撮影システム）に、特許文献１に記載されたような画像処理装置を新たに備える必要があった。
このため、システムの構成が複雑になり、その結果、システムが高価なものになってしまっていた。
本発明は、上記課題に鑑みてなされたものであり、被検者の周期的な動作を撮影して得られる複数の動画におけるそれぞれの変化の周期を、従来よりも簡素な構成で調整できるようにすることを目的とする。
【課題を解決するための手段】
【０００６】
上記課題を解決するため、本発明は、
被検者の周期的な動作を撮影して得られた第一動画を取得する第一動画取得手段と、
被検者の周期的な動作を、前記第一動画の撮影とは別に撮影して得られた第二動画を取得する第二画像取得手段と、
前記第一取得手段が取得した前記第一動画における周期的な変化の特徴である第一特徴を抽出する第一特徴抽出手段と、
前記第二取得手段が取得した前記第二動画における周期的な変化の特徴である第二特徴を抽出する第二特徴抽出手段と、
第一特徴抽出手段が抽出した前記第一特徴及び前記第二特徴抽出手段が抽出した前記第二特徴に基づいて、前記第一動画と前記第二動画のうちの少なくとも一方の動画を、その変化の周期が他方の動画における変化の周期に近づくように調整する画像調整手段と、
前記第一動画取得手段が取得した第一動画又は前記画像調整手段が調整した前記第一動画と、前記第二動画取得手段が取得した第二動画又は前記画像調整手段が調整した前記第二動画と、を出力する出力手段と、を備えることを特徴とする。
【発明の効果】
【０００７】
本発明によれば、被検者の周期的な動作を撮影して得られる複数の動画におけるそれぞれの変化の周期を、従来よりも簡素な構成で調整することができる。
【図面の簡単な説明】
【０００８】
【図１】本発明の実施形態に係る医用画像管理システムを表すブロック図である。
【図２】図１の医用画像管理システムが備える医用画像管理装置を表すブロック図である。
【図３】図２の医用画像管理装置が実行する診断準備処理を示すフローチャートである。
【図４】図１の医用画像管理システムが備える医用画像表示装置を表すブロック図である。
【図５】図４の医用画像表示装置が表示する画像確認画面の一例を示す図である。
【図６】図４の医用画像表示装置が表示する画像確認画面の他の例を示す図である。
【図７】図４の医用画像表示装置に部分第一動画及び部分第二動画を表示する方法の説明図である。
【図８】図４の医用画像表示装置に部分第一動画ＩＲ１及び部分第二動画ＩＲ２を表示する方法の説明図である。
【図９】図４の医用画像表示装置を用いて動画を再調整する一の方法の説明図である。
【図１０】図４の医用画像表示装置を用いて動画を再調整する他の方法の説明図である。
【図１１】図４の医用画像表示装置が表示する第二グラフの一例を示す図である。
【図１２】図４の医用画像表示装置が表示する第二グラフの一例を示す図である。
【発明を実施するための形態】
【０００９】
以下、本発明の実施の形態について、図面を参照しながら説明する。ただし、本発明の範囲は、以下の実施形態や図面に記載されたものに限定されるものではない。
【００１０】
〔放射線撮影システム〕
まず、本実施形態に係る医用画像管理システム１００の概略構成について説明する。図１は医用画像管理システム１００を表すブロック図である。
【００１１】
本実施形態の医用画像管理システム１００は、図１に示すように、撮影装置１と、コンソール２と、医用画像管理装置３と、医用画像表示装置４と、を備えている。
これらの装置１〜４は、通信ネットワーク５を介して互いに通信可能となっている。
また、医用画像管理システム１００は、図示しない病院情報システム（Hospital Information System：ＨＩＳ）や、放射線科情報システム（Radiology Information System：ＲＩＳ）、医用画像解析装置等と接続することが可能となっている。
【００１２】
撮影装置１は、後述する医用画像管理装置３で調整可能な、複数のフレームを有する動画を生成することが可能なものであればよく、例えば放射線発生装置が発生させた放射線に応じた放射線画像を生成する放射線画像撮影装置や光学カメラ等を用いることができる。
なお、撮影装置１は、動画の他に静止画を撮影することが可能なものであってもよい。
また、撮影装置１を、通信ネットワーク５に直接接続するのではなく、コンソール２や医用画像管理装置３等を介して接続するようにしてもよい。
また、撮影装置１から他の装置への動画の転送は、通信ネットワーク５を介して行うのではなく、記憶媒体やケーブルを用いて行うようにしてもよい。
【００１３】
コンソール２は、ＰＣや専用の装置で構成されている。
また、コンソール２は、他の装置等（ＨＩＳやＲＩＳ等）から取得した検査情報や操作者による操作に基づいて、各種撮影条件（管電圧や管電流、照射時間（ｍＡｓ値）、フレームレート等）を撮影装置１等に設定することが可能となっている。
【００１４】
医用画像管理装置３は、画像保存通信システム（Picture Archiving and Communication System：ＰＡＣＳ）を構成するもので、ＰＣや専用の装置、クラウド上の仮想サーバー等で構成されている。
この医用画像管理装置３の詳細については後述する。
【００１５】
本実施形態における医用画像表示装置４は、ＰＣや携帯端末、専用の装置等で構成されている。
この医用画像表示装置４の詳細についても後述する。
なお、この医用画像表示装置４を備えるのではなく、コンソール２を医用画像表示装置４の代わりとして用いたり、医用画像管理装置３に表示部を設けたりしてもよい。
【００１６】
〔医用画像管理装置〕
次に、上記医用画像管理システム１００が備える医用画像管理装置３の具体的構成について説明する。図２は医用画像管理装置３を表すブロック図である。
【００１７】
本実施形態に係る医用画像管理装置３は、図２に示すように、制御部３１と、通信部３２と、記憶部３３と、を備えている。
【００１８】
制御部３１は、ＣＰＵ（Central Processing Unit）、ＲＡＭ（Random Access Memory）等により構成される。制御部３１のＣＰＵは、記憶部３３に記憶されている各種プログラムを読出してＲＡＭ内に展開し、展開されたプログラムに従って各種処理を実行し、医用画像管理装置３各部の動作を集中制御する。
【００１９】
通信部３２は、無線モジュール等で構成され、通信ネットワーク５（ＬＡＮ（Local Area Network）、ＷＡＮ（Wide Area Network）、インターネット等）を介して接続された他の装置等１，２，４との間で各種信号や各種医用画像（静止画、動画、解析動画等）を送受信することが可能となっている。
【００２０】
記憶部３３は、不揮発性の半動態メモリーやハードディスク等により構成され、制御部３１が実行する各種プログラムやプログラムの実行に必要なパラメーター等を記憶している。
また、記憶部３３は、各種医用画像を蓄積するデータベース３３ａを有している。
なお、データベース３３ａを記憶部３３の中に設けるのではなく、医用画像管理装置３とは別の装置の形で備えるようにしてもよい。
【００２１】
このように構成された医用画像管理装置３の制御部３１は、例えば撮影装置１やコンソール２が動画を送信してきたこと、各装置１〜４のいずれかに所定操作がなされたこと等を契機として、例えば図３に示す診断準備処理を実行する機能を有している。
【００２２】
具体的には、制御部３１は、まず、第一動画のデータを取得する（ステップＳ１）。
この「第一動画」は、診断に用いる主動画であり、被検者の周期的な動作を撮影して得られるものである。
また、「第一動画」としては、例えば放射線発生装置と組み合わせて用いられる撮影装置１で人の胸部等を連続的に撮影することで得られる複数のフレームを組み合わせた動画が主に用いられる。
「周期的な動作」には、例えば、肺の膨張・収縮や、横隔膜の上昇・下降、心臓の膨張・収縮、関節の曲げ・伸ばし等が含まれる。
なお、第一動画は、撮影装置１が生成した元動画であってもよいし、図示しない医用画像解析装置が元画像を解析して得られた解析動画であってもよい。
この「解析」には、構造物を強調する処理、構造物（例えば骨）を減弱する処理、対象が生体の場合に複数のフレームの差分画像から作られた呼気換気の動きを視認できるようにする処理、血流の動きを視認できるようにする処理等が含まれ、動態解析とも呼ばれる。
【００２３】
本実施形態においては、後述する医用画像表示装置４から送信されてきた画像要求信号に応じた動画のデータを第一動画のデータとして取得するようにしている。なお、医用画像管理装置３が操作部を備えたものである場合には、この操作部になされた操作に応じた動画を第一動画のデータとして取得するようにしてもよい。
また、第一動画のデータの取得には、他の装置（例えば撮影装置１やコンソール２等）から通信部３２を介して受信する場合と、データベース３３ａから呼び出す場合と、がある。
第一動画のデータを他の装置から受信した場合には、制御部３１は、それをデータベース３３ａに蓄積する。蓄積された第一動画のデータは、新たな第一動画のデータが取得された場合に、第二動画のデータとして利用可能となる。
すなわち、制御部３１は、この処理を実行することにより、第一動画取得手段をなす。
【００２４】
第一動画のデータを取得した後、制御部３１は、第二動画のデータを取得する（ステップＳ２）。
この「第二動画」は、第一動画と比較するための比較動画であり、被検者の周期的な動作を、第一動画の撮影とは別に撮影して得られるものである。
本実施形態における第二動画は、更に、第一動画の被検者と同一の被検者を過去に撮影して得られたもの、又は第一動画の被検者と異なりかつ当該被検者と同様の体格、同様の年代又は同一の性別の被検者を撮影して得られるものとしている。
この「同様の体格」は、例えば画像のデータを解析することで得られる肺野領域の縦幅又は横幅が一致又は近いものを指す。
なお、第に動画も、第一動画と同様、撮影装置１が生成した元動画であってもよいし、図示しない医用画像解析装置が元画像を解析して得られた解析動画であってもよい。
また、第二動画のデータは、一の第一動画のデータに対して複数取得するようにしてもよい。
【００２５】
本実施形態においては、後述する医用画像表示装置４から送信されてきた画像要求信号に応じた動画のデータ、又は取得した第一動画のデータに基づいて自動的に選択した動画のデータを第二動画のデータとして取得するようにしている。
その際、取得しようとする動画のデータが第二動画のデータに適合するか否か、すなわち、第二動画の被検者が、第一動画の被検者と同一であるか否か、同様の年代であるか否か、同一の性別であるか否か、又は同様の体格であるか否か、といった判断を、例えば、第一動画のデータ及び第二動画のデータにそれぞれ付帯する検査情報や被検者情報、又は動画に写る胸郭の幅等に基づいて行う。
このような対応を行うことで、第一動画と関連した第二動画をユーザーが手間をかけずに取得することができる。
なお、このとき第一動画を選択した場合に、上記第二動画の選定候補が表示され、そこからユーザーが選べるようになっていても良い。
【００２６】
また、第二動画のデータの取得には、第一動画のデータの場合と同様、他の装置から通信部３２を介して受信する受信する場合と、データベース３３ａから呼び出す場合と、がある。
第二動画のデータを他の装置１，２から受信した場合には、制御部３１は、それをデータベース３３ａに蓄積する。
すなわち、制御部３１は、この処理を実行することにより、第二画像取得手段をなす。
なお、本実施形態においては、このステップＳ２の処理をステップＳ１の後に実行することとしたが、ステップＳ２の処理は、ステップＳ１の前に実行してもよいし、ステップＳ１と並行して実行してもよい。
【００２７】
第一動画のデータを取得した後、制御部３１は、第一特徴を抽出する（ステップＳ３）。
この「第一特徴」は、例えば、取得した第一動画における周期的な変化の特徴であり、より具体的には、変化の周期や位相等を指す。
第一特徴の抽出には、例えば特許文献１に記載されたような方法を用いることができる。
すなわち、制御部３１は、この処理を実行することにより、第一特徴抽出手段をなす。
【００２８】
また、第二動画のデータを取得した後、制御部３１は、第二特徴を抽出する（ステップＳ４）。
この「第二特徴」は、上記第一特徴と同様、取得した第二動画における周期的な変化の特徴であり、変化の周期や位相等を指す。
第二特徴の抽出にも、例えば特許文献１に記載されたような方法を用いることができる。
すなわち、制御部３１は、この処理を実行することにより、第二特徴抽出手段をなす。
なお、このステップＳ４の処理をステップＳ３の後に実行することとしたが、ステップＳ４の処理は、ステップＳ３の前に実行してもよいし、ステップＳ３と並行して実行してもよい。
【００２９】
第一，第二特徴を抽出した後、制御部３１は、抽出した第一特徴及び第二特徴に基づいて、第二動画のデータを、第二動画の変化の周期が第一動画における変化の周期に近づくように調整する（ステップＳ５）。
ここで、第二動画の変化の周期が第一動画における変化の周期に近づくように調整する理由は、診断を行う対象が第一動画であるため、第一動画をなるべき撮影した状態に近い形としておくことでより正確な診断を行うことが可能となるからである。
第二動画のデータの調整には、例えば特許文献１に記載されたような方法を用いることができる。
なお、第一動画と第二動画の位相を完全に一致させる必要は無く、例えば数フレーム以内の（診断者が肉眼で両動画のずれを認識できない）範囲で前後していてもよい。
また、第一動画であっても、微小の調整であれば大きな問題にはならないし、あえて比較の第二動画の状態をベースに診断したいという場合もあるため、絶対に第一動画の調整を行わないというわけではなく、第一動画を調整する機能を持たせておいても差し支えない。
【００３０】
また、本実施形態においては、第二動画における二周目以降の変化が写った部分を調整するようにしている。
１周目の変化は、撮影開始のタイミングによって、周期的な変化にならない場合があり、調整が困難になることがあるが、こうすることで、容易に調整を行うことができる。
なお、本実施形態では、比較動画である第二動画の周期を主動画である第一動画の周期に近づけるようにしたが、第一動画のデータを調整するようにしてもよいし、第一動画のデータと第二動画のデータの両方を調整するようにしてもよい。
すなわち、制御部３１は、この処理を実行することにより、画像調整手段をなす。
なお、ステップＳ３，Ｓ４で抽出した第一，第二特徴の差が無い、又は差が無視できる範囲内である場合には、ステップＳ５の処理を実行せず、ステップＳ６にジャンプしてもよい。
【００３１】
動画のデータを調整した後、制御部３１は、取得した第一動画のデータと、取得した第二動画のデータ又は調整した第二動画のデータと、を出力する（ステップＳ６）。
本実施形態においては、第一動画のデータ及び第二動画のデータを、通信部３２を介して医用画像表示装置４へ送信するようにしているが、記憶媒体やケーブルを介して出力するようにしてもよい。
また、医用画像管理装置３が表示部を備えたものである場合には、その表示部に表示させることを以て出力としてもよい。
すなわち、制御部３１は、この処理を実行することにより、出力手段をなす。
【００３２】
また、制御部３１は、上記診断準備処理を実行する機能の他に、以下のような機能も有している。
例えば、制御部３１は、データベース３３ａに蓄積された複数の第二動画に基づく統計値を生成する機能を有している。
この統計値は、医用画像表示装置４において、後述する第二，第三グラフＧ２，Ｇ３の表示を行うためのもので、本実施形態においては、複数の第二動画のデータからそれぞれ抽出した第二特徴に基づいて、複数の第二動画の各周期の平均値を算出したり、複数の第二動画から抽出される所定の信号値の分布において、所定の上限基準に対応する上限信号値と、所定の下限基準に対応する下限信号値と、をそれぞれ抽出したりするようにしている。確率分布を用いる場合には、上側確率が上限基準、下側確率が下限基準となる。
すなわち、制御部３１は、この機能を有することにより、統計手段をなす。
【００３３】
また、本実施形態における制御部３１は、第二動画のデータを再調整することが可能となっている。
具体的には、医用画像表示装置４から送信されてきた、後述する再調整指示信号（第二グラフの波形の変形量）に応じて、第二動画における変化の周期の再調整を行う。
この再調整指示信号は、ユーザーが医用画像表示装置４に所定操作を行うことで送信されてくるものである。再調整を行うためのユーザーの具体的操作については後述する。
こうすることで、最初の調整が不十分であった場合や、動画Ｉ１，Ｉ２が不規則に変動した場合等に対応することができる。
なお、本実施形態では、比較動画である第二動画のデータを調整可能としたため、第二動画のデータを再調整可能としたが、第一動画のデータ、又は第一動画のデータと第二動画のデータの両方を調整可能なものである場合には、第一動画のデータを再調整可能としてもよいし、第一動画のデータと第二動画のデータの両方を再調整可能としてもよい。
【００３４】
〔医用画像表示装置〕
次に、上記医用画像表示システムが備える医用画像表示装置４の具体的構成について説明する。図４は医用画像表示装置４を表すブロック図、図５，６は医用画像表示装置４が表示する画像確認画面Ｓの例を示す図、図７，８は医用画像表示装置４に部分第一動画ＩＲ１及び部分第二動画ＩＲ２を表示する方法の説明図、図９，１０は医用画像表示装置４を用いて動画のデータを再調整する方法の説明図、図１１，１２は医用画像表示装置４が表示する第二グラフＧ２の例を示す図である。
【００３５】
本実施形態に係る医用画像表示装置４は、図４に示すように、制御部４１と、通信部４２と、記憶部４３と、表示部４４と、操作部４５と、を備えている。
【００３６】
制御部４１や通信部４２は、医用画像管理装置３における制御部３１や通信部３２と同様に構成されている。
【００３７】
記憶部４３は、不揮発性の半動態メモリーやハードディスク等により構成され、制御部４１が実行する各種プログラムやプログラムの実行に必要なパラメーター等を記憶している。
【００３８】
表示部４４は、ＬＣＤ（Liquid Crystal Display）やＣＲＴ（Cathode Ray Tube）等のモニターにより構成され、制御部４１から入力される表示信号の指示に従って、各種画像や各種情報等を表示するようになっている。
【００３９】
操作部４５は、カーソルキーや、数字入力キー、各種機能キー等を備えたキーボードや、マウス等のポインティングデバイス、表示部４４の表面に積層されたタッチパネル等によって操作者が操作可能に構成されている。
なお、医用画像表示装置４に操作部４５を備えるのではなく、コンソール２や医用画像管理装置３等に操作部を設けるようにしてもよい。
【００４０】
このように構成された医用画像表示装置４の制御部４１は、以下のような機能を有している。
例えば、制御部４１は、表示部４４に表示させる動画のデータを要求する機能を有している。
本実施形態においては、操作部４５の操作（例えば、表示部４４に表示された検査一覧や複数の動画サムネイルＴの中から選択された検査やサムネイル）に応じた画像要求信号を、通信部４２を介して医用画像管理装置３へ送信するようにしている。
【００４１】
また、制御部４１は、医用画像管理装置３が送信してきた第一動画のデータと、第二動画のデータ又は調整した第二動画のデータと、を取得する機能を有している。
本実施形態においては、第一動画のデータ及び第二動画のデータを、通信部４２を介して受信するようにしているが、記憶媒体やケーブルを介して取得するようにしてもよい。
【００４２】
また、制御部４１は、例えば図５に示すように、第一動画Ｉ１と、第二動画Ｉ２又は調整した第二動画Ｉ２と、を表示部４４に表示させる機能を有している。
医用画像表示装置４が取得する第一動画のデータ及び第二動画のデータは、初めから周期が揃っているか、医用画像管理装置３で調整されているため、表示部４４には、周期及び位相が揃った第一動画Ｉ１及び第二動画Ｉ２が表示される。
なお、第一動画Ｉ１の表示態様（停止、早送り、早戻し、スロー再生等）が変更された場合には、第二動画Ｉ２の表示態様も第一動画Ｉ１に合わせて変更するようにしてもよい。
また、図５には、第一動画Ｉ１と第二動画Ｉ２の両方を表示した場合を例示したが、場合によって、第一動画Ｉ１と第二動画Ｉ２のいずれか一方の表示を可能としてもよい。
【００４３】
また、制御部４１は、図５に示したように、第一グラフＧ１を表示部４４に表示させるとともに、第二グラフＧ２を表示部４４に表示させる機能を有している。
この「第一グラフＧ１」は、第一動画Ｉ１における時間（フレーム番号）と信号値の関係を表すグラフである。本実施形態においては、横軸をフレーム番号、縦軸を信号値として描くこととしている。
また、「第二グラフＧ２」は、第二動画Ｉ２に基づく時間（フレーム番号）と信号値の関係を表すグラフである。本実施形態においては、第一グラフＧ１と同様、横軸をフレーム番号、縦軸を信号値として描くこととしている。
なお、図５には、第一グラフＧ１と第二グラフＧ２の両方を表示した場合を例示したが、場合によって、第一グラフＧ１と第二グラフＧ２のいずれか一方の表示を可能としてもよい。
また、図５には、第一，第二グラフＧ１，Ｇ２を、第一，第二動画Ｉ１，Ｉ２とともに表示した場合を例示したが、場合によって、第一，第二グラフＧ１，Ｇ２のみの表示を可能としてもよい。
また、図５には、第一，第二グラフＧ１，Ｇ２を重畳した形で表示する場合を例示したが、図６に示すように、各動画Ｉ１，Ｉ２毎に表示するようにしてもよい。
【００４４】
また、本実施形態における制御部４１は、例えバズ７に示すように、第一動画Ｉ１の各フレームにおける一部領域を第一領域Ｒ１としてそれぞれ抜き出し、第一領域Ｒ１のみを写す部分第一動画ＩＲ１を表示部４４に表示させるとともに、第二動画Ｉ２の各フレームにおける第一領域Ｒ１に対応する一部領域を第二領域Ｒ２としてそれぞれ抜き出し、第二領域Ｒ２のみを写す部分第二動画ＩＲ２を表示部４４に表示させることが可能となっている。
例えば、第一動画Ｉ１及び第二動画Ｉ２が、胸部を撮影した放射線動画である場合、左右一対の肺のいずれか一方を第一領域Ｒ１、図７に示した第一領域Ｒ１と同じ側の肺、又は図８に示す第一領域Ｒ１と異なる側の肺を第二領域Ｒ２、といった設定が可能である。
制御部４１は、上述したような機能を有することにより、画像表示制御手段をなす。
【００４５】
また、制御部４１は、操作部４５になされた操作に応じて、第二グラフＧ２の波形を変形させる機能、すなわち、ユーザーによるグラフの再調整を行うための操作を受け付ける機能を有している。
医用画像管理装置３での第二動画Ｉ２の調整が十分でなく、表示部４４に表示される第二グラフＧ２が、例えば図９に実線で示したようなものとなる場合がある。すなわち、極大Ｍａｘ（山）となるフレームは第一グラフＧ１とほぼ一致しているが、極小Ｍｉｎ（谷）となるフレームが第一グラフＧ１よりも右にずれるといったことが起こる場合がある。これは、調整後の第二動画Ｉ２の周期が第一動画Ｉ１の周期よりも依然として長いことを示している。
【００４６】
そこで、本実施形態においては、例えば、グラフの表示領域を極大Ｍａｘから極小Ｍｉｎまでの領域、極小Ｍｉｎから極大Ｍａｘまでの領域に分け、図９に示したように、極大となるフレームが一致し、極小となるフレームがずれている場合には、ポインターＰを極小Ｍｉｎよりも右側のｃ領域に位置させてクリックしたときに極大Ｍａｘが固定され、そのままポインターＰを左右にドラッグさせると、極大Ｍａｘの位置はそのままに、第二グラフＧ２の幅方向だけが拡大・縮小するようにしている。つまり、図９の場合、ポインターＰを左にドラッグしていくことで、第二グラフＧ２が破線で示した波形となり、その極小Ｍｉｎを第一グラフＧ１のＭｉｎと一致させることができる。
なお、図示は省略するが、ポインターＰを極大Ｍａｘよりも左側のａ領域でクリックした場合には、極小Ｍｉｎが固定され、極小Ｍｉｎの位置がそのままに第二グラフＧ２の幅方向だけが拡大・縮小し、極大Ｍａｘと極小Ｍｉｎの間のｂ領域でクリックした場合には、第二グラフＧ２の波形が変化することなく平行移動するようにしている。
【００４７】
なお、こうした操作の他にも、第二グラフＧ２の何処かをクリックしたときにグラフを囲むように矩形の枠を表示させ、その縦線を左右にドラッグすることで、第二グラフＧ２を拡大・縮小させるといった操作も可能であるし、マウスでドラッグする、マウスのホイールを回転させる、所定のキーやボタンを押下することの他、例えば図１０に示すように、表示部４４に積層されたタッチパネルの表面を指Ｆでピンチイン又はピンチアウトする等により、第二グラフＧ２の波形の幅を狭めたり広げたりする、といった操作も可能である。
【００４８】
また、制御部４１は、グラフの波形が変形されると、その変形量に応じた再調整指示信号を、通信部４２を介して医用画像管理装置３へ送信するようになっている。
これにより、再調整された第二動画のデータが医用画像管理装置３から送信され、再調整後の第二動画Ｉ２を表示することが可能となる。
すなわち、制御部４１は、グラフ変形手段をなす。
なお、本実施形態では、上記医用画像管理装置３において比較動画である第二動画のデータを調整可能としたため、第二動画Ｉ２に対応する第二グラフＧ２の波形を変形可能としたが、医用画像管理装置３が、第一動画のデータ、又は第一動画のデータと第二動画のデータの両方を調整可能なものである場合には、第一グラフＧ１の波形を変形可能としてもよいし、第一グラフＧ１と第二グラフＧ２の両方の波形を変形可能としてもよい。
【００４９】
また、本実施形態における制御部４１は、上記医用画像管理装置３が生成した統計値に基づくグラフを、第二グラフＧ２として表示部４４に表示させることが可能となっている。
具体的には、例えば図１１に示すように、算出した平均値を周期とする第二グラフＧ２を表示部４４に表示させたり、図１２に示すように、抽出した上限信号値を有する第二動画Ｉ２に対応するグラフを第二グラフＧ２として表示部４４に表示させるとともに、下限信号値を有する第二動画Ｉ２に対応するグラフを第三グラフＧ３として表示部４４に表示させたりする。
例えば、上記医用画像管理装置３において、上限確率及び下限確率がそれぞれ１０％に設定された場合、第一グラフＧ１は８０％の確率で第二グラフＧ２と第三グラフＧ３との間に収まることとなる。言い換えると、第一グラフＧ１が第二グラフＧ２と第三グラフＧ３との間に収まった場合には、被検者が平均的な動作をしていることになり、第二グラフＧ２と第三グラフＧ３とに挟まれた領域をはみ出した場合には、被検者が確率的には起こりにくい平均的な呼吸動作から逸脱した動作をしている可能性があるということになる。  制御部４１は、上述したような機能を有することにより、グラフ表示制御手段をなす。
【００５０】
以上、本実施形態に係る医用画像表示装置４の具体的構成について説明してきたが、医用画像表示装置４が有する上記各種機能の少なくとも一部は、コンソール２や医用画像管理装置３等に持たせるようにしてもよい。
例えば、医用画像表示装置４にブラウザの機能だけを持たせ、医用画像管理装置３において画像確認画面Ｓ等のウェブページを生成する機能を持たせるようにしてもよい。
【００５１】
以上、本実施形態に係る医用画像管理システム１００によれば、第一，第二動画Ｉ１，Ｉ２の変化の周期を調整する機能を、ＰＡＣＳを構成する医用画像管理装置３に備えているため、被検者の周期的な動作を撮影して得られる複数の動画におけるそれぞれの変化の周期を、従来よりも簡素な構成で調整することができる。
【００５２】
また、周期を調整する機能を備えた従来のシステムにおいては、せっかく動画の周期を調整しても、それを効果的な形で表示することができていなかった（特許文献１には、具体的な表示方法の違いが記載されておらず、診断用の動画と比較対象の動画をどのように比較するのか不明であった）。
しかし、本実施形態に係る医用画像管理システム１００は、第一，第二動画を並べて表示したり、第一，第二動画と共に第一，第二グラフを表示したりすることで、被検者の状態と過去の同一被検者や他の被検者との比較を容易に行うことができる。
また、本実施形態に係る医用画像管理システム１００は、部分第一動画ＩＲ１及び部分第二動画ＩＲ２を表示することができるため、被検者の状態と過去の同一被検者や他の被検者との比較をより詳細に行うことができる。
【符号の説明】
【００５３】
１００  医用画像管理システム
１  撮影装置
２  コンソール
３  医用画像管理装置
３１  制御部
３２  通信部
３３  記憶部
３３ａ  データベース
４  医用画像表示装置
４１  制御部
４２  通信部
４３  記憶部
４４  表示部
４５  操作部
５  通信ネットワーク
Ｇ１  第一グラフ
Ｇ２  第二グラフ
Ｇ３  第三グラフ
Ｉ１  第一動画
Ｉ２  第二動画
ＩＲ１  部分第一動画
ＩＲ２  部分第二動画
Ｒ１  第一領域
Ｒ２  第二領域
Ｓ  画像確認画面
Ｔ  動画サムネイル
【図１】
2020096703.tif 000003
【図２】
2020096703.tif 000004
【図３】
2020096703.tif 000005
【図４】
2020096703.tif 000006
【図５】
2020096703.tif 000007
【図６】
2020096703.tif 000008
【図７】
2020096703.tif 000009
【図８】
2020096703.tif 000010
【図９】
2020096703.tif 000011
【図１０】
2020096703.tif 000012
【図１１】
2020096703.tif 000013
【図１２】
2020096703.tif 000014